(57)【要約】【課題】撮像装置を小型化すること。【解決手段】撮像装置１は、撮影光学系２３を通過した被写体光を反射する第１反射部材１８と、第１反射部材１８の反射光のうち、撮影画面の周辺領域に対応する反射光を反射する第２反射部材１９と、第１反射部材１８の反射光のうち、撮影画面の中央領域に対応する反射光を受光する第１受光手段１６による受光信号に基づいて、撮影画面の中央領域に関する焦点調節状態を位相差検出方式により検出する第１焦点検出手段２１と、第２反射部材１９の反射光を受光する第２受光手段２０による受光信号に基づいて、撮影画面の周辺領域に関する焦点調節状態を位相差検出方式により検出する第２焦点検出手段２１と、を備え、第２受光手段２０は、マイクロレンズアレイと、各マイクロレンズを通過した光束をそれぞれ受光する複数の受光素子でなる受光素子アレイと、を有する。【選択図】図１
2013145287.tif 000002
【特許請求の範囲】
【請求項１】
撮影光学系の予定焦点面上に配置される撮像素子と、
前記撮影光学系と前記撮像素子との間に配置され、前記撮影光学系を通過した被写体光を反射する第１反射部材と、
前記第１反射部材の反射光のうち、撮影画面の周辺領域に対応する反射光を反射する第２反射部材と、
前記第１反射部材の反射光のうち、前記撮影画面の中央領域に対応する反射光を受光する第１受光手段を有し、前記第１受光手段による受光信号に基づいて、前記撮影画面の中央領域に関する焦点調節状態を位相差検出方式により検出する第１焦点検出手段と、
前記第２反射部材の反射光を受光する第２受光手段を有し、前記第２受光手段による受光信号に基づいて、前記撮影画面の周辺領域に関する焦点調節状態を位相差検出方式により検出する第２焦点検出手段と、
を備え、
前記第２受光手段は、前記撮影光学系の予定焦点面近傍に配置された複数のマイクロレンズを２次元アレイ状に配列してなるマイクロレンズアレイと、前記マイクロレンズの後方に配置され、前記各マイクロレンズを通過した光束をそれぞれ受光する複数の受光素子でなる受光素子アレイと、を有し、前記複数の受光素子による受光信号を出力することを特徴とする撮像装置。
【請求項２】
請求項１に記載の撮像装置において、
前記第１反射部材は、前記撮影光学系を通過した被写体光を前記撮像装置の下方に向けて反射し、
前記第２反射部材は、前記第１反射部材の反射光のうち、前記撮影画面の周辺領域に対応する反射光を前記撮像装置の側方に向けて反射し、
前記第１受光手段は、前記第１反射部材と前記撮像装置の底面との間に配置され、
前記第２受光手段は、前記第２反射部材と前記撮像装置の側面との間に配置されることを特徴とする撮像装置。
【請求項３】
請求項１または２に記載の撮像装置において、
前記第２反射部材を、前記第１反射部材の反射光の光路中の第１位置と前記光路外の第２位置とに切替駆動する駆動部をさらに備えることを特徴とする撮像装置。
【請求項４】
請求項３に記載の撮像装置において、
前記駆動部は、前記第２焦点検出手段が焦点検出を行う際には前記第２反射部材を前記第１位置へ駆動し、前記第１焦点検出手段が所定領域に関する焦点検出を行う際には前記第２反射部材を前記第２位置へ駆動することを特徴とする撮像装置。
【請求項５】
請求項１〜４のいずれか一項に記載の撮像装置において、
前記第１焦点検出手段および前記第２焦点検出手段の少なくともいずれかの焦点検出結果を補正する補正手段をさらに備え、
前記第２反射部材の反射光には、前記第２反射部材の位置ずれを検出するための位置検出用光束が含まれ、
前記補正手段は、前記位置検出用光束を前記第２受光手段によって受光して得られる受光信号に基づいて、前記補正を行うことを特徴とする撮像装置。
【請求項６】
請求項２に記載の撮像装置において、
前記第１反射部材および前記第２反射部材を収納するミラーボックスをさらに備え、
前記第２受光手段は、前記ミラーボックスの側面に沿って配置されることを特徴とする撮像装置。
【請求項７】
請求項２または６に記載の撮像装置において、
前記第２受光手段の前記マイクロレンズアレイおよび前記受光素子アレイは、前記撮影光学系の光軸と略平行な面に配置されることを特徴とする撮像装置。
【請求項８】
請求項１〜７のいずれか一項に記載の撮像装置において、
前記第２反射部材は、前記撮影画面の左側周辺領域に対応する光を反射する左側反射部材と、前記撮影画面の右側周辺領域に対応する光を反射する右側反射部材と、を有し、
前記第２受光手段は、前記左側反射部材の反射光を受光する左側受光手段と、前記右側反射部材の反射光を受光する右側受光手段と、を有し、
前記第２焦点検出手段は、前記左側受光手段からの受光信号に基づいて前記撮影画面の左側周辺領域に関する焦点調節状態を検出し、前記右側受光手段からの受光信号に基づいて前記撮影画面の右側周辺領域に関する焦点調節状態を検出することを特徴とする撮像装置。
【請求項９】
請求項１〜８のいずれか一項に記載の撮像装置において、
前記撮影光学系と前記第１反射部材との間に配置され、前記撮影光学系を通過した被写体光の一部を透過させて前記第１反射部材に導き、当該被写体光の残りの一部を反射して光学ファインダに導く主反射部材をさらに備えることを特徴とする撮像装置。
【発明の詳細な説明】
【技術分野】
【０００１】
本発明は、撮像装置に関する。
【背景技術】
【０００２】
瞳分割型再結像方式の焦点検出モジュールにより画面中央の焦点検出を行い、瞳分割型非再結像方式の焦点検出モジュールにより画面周辺の焦点検出を行う焦点検出装置が知られている（特許文献１参照）。
【先行技術文献】
【特許文献】
【０００３】
【特許文献１】特開平６−６７０８８号公報
【発明の概要】
【発明が解決しようとする課題】
【０００４】
上記従来技術では、上記瞳分割型再結像方式の焦点検出モジュールと上記瞳分割型非再結像方式の焦点検出モジュールの両方がカメラボディの底部の同一面に設置されている。したがって、上記瞳分割型非再結像方式の焦点検出モジュールにおける受光素子列を増やすと、カメラが大型化してしまうという問題があった。
【課題を解決するための手段】
【０００５】
本発明による撮像装置は、撮影光学系の予定焦点面上に配置される撮像素子と、撮影光学系と撮像素子との間に配置され、撮影光学系を通過した被写体光を反射する第１反射部材と、第１反射部材の反射光のうち、撮影画面の周辺領域に対応する反射光を反射する第２反射部材と、第１反射部材の反射光のうち、撮影画面の中央領域に対応する反射光を受光する第１受光手段を有し、第１受光手段による受光信号に基づいて、撮影画面の中央領域に関する焦点調節状態を位相差検出方式により検出する第１焦点検出手段と、第２反射部材の反射光を受光する第２受光手段を有し、第２受光手段による受光信号に基づいて、撮影画面の周辺領域に関する焦点調節状態を位相差検出方式により検出する第２焦点検出手段と、を備え、第２受光手段は、撮影光学系の予定焦点面近傍に配置された複数のマイクロレンズを２次元アレイ状に配列してなるマイクロレンズアレイと、マイクロレンズの後方に配置され、各マイクロレンズを通過した光束をそれぞれ受光する複数の受光素子でなる受光素子アレイと、を有し、複数の受光素子による受光信号を出力することを特徴とする。
【発明の効果】
【０００６】
本発明によれば、撮像装置を小型化できる。
【図面の簡単な説明】
【０００７】
【図１】本発明の一実施の形態によるカメラの構成を示す横断面図である。
【図２】第２焦点検出装置の構成を示す斜視図である。
【図３】図１のカメラにおける焦点検出光学系の構成を示す斜視図である。
【図４】図１のカメラにおける焦点検出光学系の構成を示す正面図である。
【図５】焦点検出領域を説明する図である。
【図６】変形例１による焦点検出光学系の構成を示す横断面図である。
【図７】変形例３による焦点検出光学系の構成を示す斜視図である。
【発明を実施するための形態】
【０００８】
以下、図面を参照して本発明を実施するための形態について説明する。図１は、本発明を適用した一眼レフレックス・デジタルスチルカメラの構成を示す横断面図である。なお、本発明に係わる機器および装置以外のカメラの一般的な機器および装置については図示と説明を省略する。本実施形態のカメラでは、カメラボディ１にレンズ鏡筒２が装着される。レンズ鏡筒２は、各種の撮影レンズに交換可能である。
【０００９】
カメラボディ１には、レンズ鏡筒２が着脱可能に取り付けられるボディ側マウント部３が設けられている。また、レンズ鏡筒２には、カメラボディ１が着脱可能に取り付けられるレンズ側マウント部４が設けられている。カメラボディ１にレンズ鏡筒２が装着されると、ボディ側接点５とレンズ側接点６とが電気的に且つ物理的に接続される。
【００１０】
カメラボディ１のボディ側マウント部３の後方には、ミラーボックス１０が配置される。ミラーボックス１０の後方には、フィルター１１、シャッター１２および撮像素子１３が順に配置される。ミラーボックス１０の上方には、光学ファインダを構成するペンタプリズム１４および接眼レンズ１５が配置される。ミラーボックス１０の下方には、第１焦点検出装置１６が配置される。ミラーボックス１０の内部には、メインミラー１７、第１サブミラー１８、第２サブミラー１９および第２焦点検出装置２０が配置される。
【００１１】
フィルター１１は、光学的ローパスフィルターと赤外線カットフィルターを合わせたものである。撮像素子１３は、ＣＣＤやＣＭＯＳなどから構成され、撮影レンズ２３の予定焦点面上に配置される。撮像素子１３は、撮影レンズ２３により結像された被写体像を電気信号に変換して出力する。
【００１２】
また、カメラボディ１の内部には、カメラボディ１の各部の制御を司るボディ制御装置２１と、メインミラー１７、第１サブミラー１８および第２サブミラー１９を駆動するミラー駆動部２２とが設けられている。ボディ制御装置２１は、不図示のマイクロコンピューター、ＲＯＭ、ＲＡＭ、Ａ／Ｄコンバーターなどから構成され、カメラの各種演算、シーケンス制御、ミラー駆動部２２の制御などを行う。ミラー駆動部２２は、メインミラー１７および第１サブミラー１８を撮影光路中の位置から退避位置へ駆動する。また、ミラー駆動部２２は、メインミラー１７の駆動とは独立して、第２サブミラー１９を第１サブミラー１８の反射光の光路中位置から退避位置へ駆動する（詳しくは後述する）。
【００１３】
レンズ鏡筒２は、撮影レンズ２３、絞り２４、レンズ駆動制御装置２５などを備えている。レンズ駆動制御装置２５は、不図示のマイクロコンピューター、メモリ、レンズ駆動用モーター、絞り駆動用モーターなどから構成され、撮影レンズ２３の焦点調節や絞り２４の開口調節などを行う。なお、カメラボディ１のボディ制御装置２１とレンズ鏡筒２のレンズ駆動制御装置２５とは、ボディ側接点５およびレンズ側接点６を介して電気的に接続されており、各種情報の授受を行う。
【００１４】
撮影時には、メインミラー１７と第１サブミラー１８とが撮影レンズ２３と撮像素子１３との間（すなわち撮影光路）から退避される（ミラーアップ）。なお、第２サブミラー１９も退避される。そして、シャッター１２が開放されて撮影レンズ２３を透過した被写体光が撮像素子１３へ導かれ、撮像素子１３により撮像を行う。撮像素子１３により出力された被写体像に基づく信号は、不図示の変換装置で信号処理された後、不図示の記録装置により、メモリカードなどの記録媒体に書き込まれる。
【００１５】
一方、非撮影時には、図１に示すように、メインミラー１７と第１サブミラー１８とが撮影光路中に置かれる（ミラーダウン）。また、第２サブミラー１９が第１サブミラー１８の反射光の光路中に置かれる（詳しくは後述する）。撮影レンズ２３を透過した被写体光の一部は、メインミラー１７により反射され、カメラボディ１上方のペンタプリズム１４へ導かれる。ペンタプリズム１４へ入射した被写体光は、接眼レンズ１５を介して撮影者の目に導かれ、撮影者に被写体像が視認される。
【００１６】
また、撮影レンズ２３を透過した被写体光の残りの一部は、メインミラー１７を透過し、光軸Ｏに対して略４５度傾けられた第１サブミラー１８により反射され、カメラボディ１の下方へ折り曲げられる。この第１サブミラー１８による反射光の一部は、撮影画面の中央領域に関する焦点調節状態を検出するための第１焦点検出装置１６へ導かれる。第１サブミラー１８による反射光の残りの一部は、第２サブミラー１９によってカメラボディ１の側方へ折り曲げられ、撮影画面の周辺領域に関する焦点調節状態を検出するための第２焦点検出装置２０へ導かれる。
【００１７】
＜第１焦点検出装置の構成＞
第１焦点検出装置１６による焦点検出方式は、周知の瞳分割型再結像方式と呼ばれるものである。撮影レンズ２３の射出瞳面上の異なる部分を通過した一対の光束は、撮影レンズ２３の予定焦点面近傍に配置された視野マスク１６１付近で一対の被写体像（一次像）を形成する。さらに、この一対の光束は、コンデンサレンズ１６２からミラー１６３を経て絞りマスク１６４を通過し、再結像レンズ１６５により受光部１６６上に一対の被写体像を再結像する。ボディ制御装置２１は、受光部１６６からの出力に基づいて、この再結像した一対の被写体像の位置ずれ量を検出し、この位置ずれ量に基づいて、撮影レンズ２３の焦点調節状態、すなわちデフォーカス量を検出する。
【００１８】
＜第２焦点検出装置の構成＞
第２焦点検出装置２０は、後述する左側焦点検出装置２０Ｌおよび右側焦点検出装置２０Ｒから構成される。図２は、左側焦点検出装置２０Ｌの構成を示す斜視図である。なお、右側焦点検出装置２０Ｒは、左側焦点検出装置２０Ｌと同様の構成であるため、説明を省略する。左側焦点検出装置２０Ｌによる焦点検出方式は、周知のマイクロレンズアレイを用いた瞳分割型位相差検出方式と呼ばれるものである。左側焦点検出装置２０Ｌは、マイクロレンズアレイ３１と受光素子アレイ３２とが不図示のカバーガラスで蓋をしたパッケージの中に封入された構成で、比較的薄い形状である。なお、受光素子アレイ３２はマイクロレンズアレイ３１の背後のごく近傍に配置されるが、図２では説明のために実際より離して描画している。
【００１９】
マイクロレンズアレイ３１上には複数のマイクロレンズＭＬが二次元状に配列されている。各マイクロレンズＭＬは、撮影レンズ２３の予定焦点面の近傍に配置されている。受光素子アレイ３２上には、複数の受光素子を二次元状に配列した受光素子群３２１が、各々のマイクロレンズＭＬに対応する形で二次元状に配列されている。図２では、２５個のマイクロレンズＭＬが５行５列に配列されており、これらのマイクロレンズＭＬに対応する形で２５個の受光素子群３２１が５行５列に配列されているが、マイクロレンズＭＬの数およびマイクロレンズＭＬごとの受光素子の数はこの一実施の形態の数に限定されない。
【００２０】
各マイクロレンズＭＬに対応する各受光素子群３２１は、各マイクロレンズＭＬにより撮影レンズ２３の射出瞳上に投影される。撮影レンズ２３の射出瞳面上の異なる部分を通過した光束は、各マイクロレンズＭＬを介して各受光素子群３２１の異なる受光素子へそれぞれ導かれる。例えば、撮影レンズ２３の射出瞳面の縦方向の一対の領域を通過した光束は、各受光素子群３２１における一対の縦方向の受光素子列に導かれる。したがってこの１対の縦方向の受光素子列からの出力に基づいて、この一対の光束による被写体像の位置ずれ量を検出し、この位置ずれ量に基づいて撮影レンズ２３のデフォーカス量を検出できる。なお、各マイクロレンズＭＬに対応する各受光素子群３２１において、受光素子が２次元状に配置されているため、横方向および斜め方向についても一対の光束による被写体像の位置ずれ量を検出してデフォーカス量を検出できる。
【００２１】
＜焦点検出光学系の配置＞
図３は、焦点検出光学系の配置を示す斜視図である。図４は、これらの配置を示す正面図である。なお、図４は、図１の矢印Ａ方向から見た正面図を示す。
【００２２】
第１焦点検出装置１６は、第１サブミラー１８とカメラボディ１の底面（不図示）との間に配置され、第１サブミラー１８の反射光における光軸Ｏ上に設けられる。第２サブミラー１９は、左側サブミラー１９Ｌおよび右側サブミラー１９Ｒから構成されており、それぞれ第１サブミラー１８の下方に配置され、光軸Ｏに対して略４５度傾けられている。左側焦点検出装置２０Ｌおよび右側焦点検出装置２０Ｒは、それぞれ、ミラーボックス１０（図１）の側面に沿って配置され、マイクロレンズアレイ３１と受光素子アレイ３２とが光軸Ｏに対して平行になるように設けられている。また、左側焦点検出装置２０Ｌは、左側サブミラー１９Ｌとカメラボディ１の側面（不図示）との間に配置されている。右側焦点検出装置２０Ｒは、右側サブミラー１９Ｒとカメラボディ１の側面（不図示）との間に配置されている。
【００２３】
上述したように、撮影レンズ２３およびメインミラー１７を透過した被写体光は、第１サブミラー１８によりカメラボディ１の下方に向けて反射される。第１サブミラー１８による反射光のうち、図５に示すように撮影画面Ｐｉの中央に設定された焦点検出領域（中央領域）Ｃａに対応する被写体光は、第１焦点検出装置１６に導かれる。また、第１サブミラー１８による反射光のうち、撮影画面Ｐｉの左側周辺に設定された焦点検出領域（左側周辺領域）Ｌａに対応する被写体光は、左側サブミラー１９Ｌによりカメラボディ１の側方へ向けて反射され、左側焦点検出装置２０Ｌに導かれる。さらに、第１サブミラー１８による反射光のうち、撮影画面Ｐｉの右側周辺に設定された焦点検出領域（右側周辺領域）Ｒａに対応する被写体光は、右側サブミラー１９Ｒによりカメラボディ１の側方へ向けて反射され、右側焦点検出装置２０Ｒに導かれる。
【００２４】
ボディ制御装置２１は、第１焦点検出装置１６による受光信号に基づいて、中央領域Ｃａに関する焦点調節状態を検出する。またボディ制御装置２１は、左側焦点検出装置２０Ｌによる受光信号に基づいて、左側周辺領域Ｌａに関する焦点調節状態を検出する。さらにボディ制御装置２１は、右側焦点検出装置２０Ｒによる受光信号に基づいて、右側周辺領域Ｒａに関する焦点調節状態を検出する。
【００２５】
また、左側サブミラー１９Ｌおよび右側サブミラー１９Ｒは、ミラー駆動部２２（図１）により、第１サブミラー１８の反射光の光路中の位置から、ミラーボックス１０（図１）の側面に沿った、上記光路外の退避位置（図４の破線で示す位置）に切り替え駆動される。なお、ミラー駆動部２２は、左側サブミラー１９Ｌおよび右側サブミラー１９Ｒをそれぞれ独立して駆動する。
【００２６】
中央領域Ｃａのうち左右の各周辺寄りの所定部分に関する焦点調節状態を検出する場合、ミラー駆動部２２は、ボディ制御装置２１の制御のもと、左側サブミラー１９Ｌおよび右側サブミラー１９Ｒのうち該当所定部分に対応する方を上記退避位置へ駆動する。また、左右両所定部分に関する焦点調節状態を検出する場合は、左側サブミラー１９Ｌと右側サブミラー１９Ｒの両方を上記退避位置へ駆動する。左側サブミラー１９Ｌおよび右側サブミラー１９Ｒが上記光路中の位置にある場合は、中央領域Ｃａの一部（左右周辺寄りの部分）に対応する被写体光をけってしまう。そこで、左側サブミラー１９Ｌおよび右側サブミラー１９Ｒを上記退避位置へ駆動することで、中央領域Ｃａのうち左右周辺寄りの所定部分に関する焦点調節状態の誤検出を防止する。
【００２７】
一方、左側周辺領域Ｌａに関する焦点調節状態を検出する場合、ミラー駆動部２２は、ボディ制御装置２１の制御のもと、左側サブミラー１９Ｌを上記光路中の位置に駆動させ、右側サブミラー１９Ｒを上記退避位置へ駆動する。一方、右側周辺領域Ｒａに関する焦点調節状態を検出する場合、ミラー駆動部２２は、ボディ制御装置２１の制御のもと、右側サブミラー１９Ｒを上記光路中の位置に駆動させ、左側サブミラー１９Ｌを上記退避位置へ駆動する。すなわち、ミラー駆動部２２は、左側サブミラー１９Ｌおよび右側サブミラー１９Ｒを、焦点調節状態の検出に必要な場合のみ上記光路中の位置へそれぞれ駆動させ、必要ない場合には上記退避位置へそれぞれ駆動させる。
【００２８】
なお、撮影時には、ミラー駆動部２２は、ボディ制御装置２１の制御のもと、左側サブミラー１９Ｌおよび右側サブミラー１９Ｒを上記退避位置へ駆動し、メインミラー１７および第１サブミラー１８を撮影光路外へ駆動する。
【００２９】
以上説明した実施形態によれば、次の作用効果が得られる。
（１）撮像装置は、撮影レンズ２３の予定焦点面上に配置される撮像素子１３と、撮影レンズ２３と撮像素子１３との間に配置され、撮影レンズ２３を通過した被写体光を反射する第１サブミラー１８と、第１サブミラー１８の反射光のうち、撮影画面Ｐｉの周辺領域（Ｌａ、Ｒａ）に対応する反射光を反射する第２サブミラー１９と、第１サブミラー１８の反射光のうち、撮影画面Ｐｉの中央領域Ｃａに対応する反射光を受光する第１焦点検出装置１６と、第１焦点検出装置１６による受光信号に基づいて、撮影画面Ｐｉの中央領域Ｃａに関する焦点調節状態を位相差検出方式により検出するボディ制御装置２１と、第２サブミラー１９の反射光を受光する第２焦点検出装置２０と、第２焦点検出装置２０による受光信号に基づいて、撮影画面Ｐｉの周辺領域（Ｌａ、Ｒａ）に関する焦点調節状態を位相差検出方式により検出するボディ制御装置２１と、を備え、第２焦点検出装置２０は、撮影レンズ２３の予定焦点面近傍に配置された複数のマイクロレンズＭＬを２次元アレイ状に配列してなるマイクロレンズアレイ３１と、マイクロレンズＭＬの後方に配置され、各マイクロレンズＭＬを通過した光束をそれぞれ受光する複数の受光素子でなる受光素子アレイ３２と、を有し、複数の受光素子による受光信号を出力するので、仮に、撮影画面の中央領域に対応する光を受光する第１の受光手段と、撮影画面の周辺領域に対応する光を受光する第２の受光手段とをカメラボディ１の底部の同一面上に並べて配置する場合と比べて、撮像装置を小型化できる。また、この場合と比較して、本実施形態の撮像装置は、撮影画面内で焦点検出ができない領域を大幅に減らすことができる。さらに、本実施形態の撮像装置は、第２焦点検出装置２０の受光素子列を増やすことに伴って撮像装置が大型化するのを防止できる。
【００３０】
（２）上記（１）の撮像装置において、第１サブミラー１８は、撮影レンズ２３を通過した被写体光をカメラボディ１の下方に向けて反射し、第２サブミラー１９は、第１サブミラー１８の反射光のうち、撮影画面Ｐｉの周辺領域（Ｌａ、Ｒａ）に対応する反射光をカメラボディ１の側方に向けて反射し、第１焦点検出装置１６は、第１サブミラー１８とカメラボディ１の底面との間に配置され、第２焦点検出装置２０は、第２サブミラー１９とカメラボディ１の側面との間に配置されるように構成したので、一段と撮像装置を小型化できる。
【００３１】
（３）上記（１）または（２）の撮像装置において、第２サブミラー１９を、第１サブミラー１８の反射光の光路中の位置と光路外の位置とに切替駆動するミラー駆動部２２をさらに備えるように構成したので、第２サブミラー１９が必要ないときなどに、第２サブミラー１９を上記光路外の位置へ駆動できる。
【００３２】
（４）上記（３）の撮像装置において、ミラー駆動部２２は、第２焦点検出装置２０による焦点検出を行う際には第２サブミラー１９を上記光路中の位置へ駆動し、第１焦点検出装置１６により比較的周辺に近い所定領域に関する焦点検出を行う際には左右のうち該当所定領域に対応する方の第２サブミラー１９を上記光路外の位置へ駆動するように構成したので、第１焦点検出装置１６による焦点検出を行う際に第２サブミラー１９が中央領域Ｃａの所定領域に対応する被写体光の一部をけってしまうのを防止できる。
【００３３】
（５）上記（２）の撮像装置において、第１サブミラー１８および第２サブミラー１９を収納するミラーボックス１０をさらに備え、第２焦点検出装置２０は、ミラーボックス１０の側面に沿って配置されるように構成したので、一段と撮像装置を小型化できる。
【００３４】
（６）上記（２）または（５）の撮像装置において、第２焦点検出装置２０のマイクロレンズアレイ３１および受光素子アレイ３２は、撮影レンズ２３の光軸Ｏと略平行な面に配置されるように構成したので、一段と撮像装置を小型化できる。
【００３５】
（７）上記（１）〜（６）の撮像装置において、第２サブミラー１９は、撮影画面Ｐｉの左側周辺領域Ｌａに対応する光を反射する左側サブミラー１９Ｌと、撮影画面Ｐｉの右側周辺領域Ｒａに対応する光を反射する右側サブミラー１９Ｒと、を有し、第２焦点検出装置２０は、左側サブミラー１９Ｌの反射光を受光する左側焦点検出装置２０Ｌと、右側サブミラー１９Ｒの反射光を受光する右側焦点検出装置２０Ｒと、を有し、ボディ制御装置２１は、左側焦点検出装置２０Ｌからの受光信号に基づいて撮影画面Ｐｉの左側周辺領域Ｌａに関する焦点調節状態を検出し、右側焦点検出装置２０Ｒからの受光信号に基づいて撮影画面Ｐｉの右側周辺領域Ｒａに関する焦点調節状態を検出するように構成したので、左側周辺領域Ｌａおよび右側周辺領域Ｒａに関する焦点調節状態を検出できると共に、撮像装置を小型化できる。
【００３６】
（変形例１）
上述した実施の形態では、第１サブミラー１８が光軸Ｏに対して４５度傾けられている例について説明したが、第１サブミラー１８が光軸Ｏに対して４５度以外の角度に傾けられている場合でも、本発明を適用するようにしてもよい。図６は、第１サブミラー２１８の光軸Ｏに対する角度が４５度よりも大きい場合における焦点検出光学系の配置例を示す図である。なお、左側サブミラーおよび左側焦点検出装置については、図示を省略する。
【００３７】
変形例１においても、上述した実施の形態と同様に、左側焦点検出装置２２０Ｌおよび右側焦点検出装置２２０Ｒは、それぞれ、ミラーボックス１０の側面に沿って配置され、光軸Ｏに対して平行に設けられる。撮影レンズ２３を通過した被写体光は、第１サブミラー２１８によりカメラボディ１の下方に折り曲げられる。そして第１サブミラー２１８による反射光のうち、右側周辺領域Ｒａに対応する被写体光が右側サブミラー２１９Ｒにより反射されてカメラボディ１の側方へ折り曲げられ、右側焦点検出装置２２０Ｒに導かれる。左側周辺領域Ｌａに対応する被写体光も同様に、左側サブミラー２１９Ｌにより左側焦点検出装置２２０Ｌに導かれる。
【００３８】
（変形例２）
上述した実施の形態では、第１焦点検出装置１６が瞳分割型再結像方式の焦点検出装置である例について説明したが、マイクロレンズアレイ位相差方式の焦点検出装置であってもよい。
【００３９】
（変形例３）
上述した実施の形態では、第２焦点検出装置２０により撮影画面の周辺領域に関する焦点検出を行う例について説明したが、さらに、第２焦点検出装置２０により第１サブミラー１８の経年変化などに伴う位置ずれを検出するようにしてもよい。
【００４０】
図７は、変形例３における焦点検出光学系の構成を示す図である。なお、図７では、右側サブミラーおよび右側焦点検出装置については、図示を省略する。第１サブミラー３１８の反射面の一部領域には、特定の波長の光を回折効果により通常とは異なる角度で反射させるバイナリ光学素子３３５が形成されている。左側焦点検出装置３２０Ｌの受光素子アレイには、焦点検出用の光束を受光する第１の受光素子群３３３の他に、バイナリ光学素子３３５による位置検出用の光束を受光する第２の受光素子群３３４が設けられる。
【００４１】
ＬＥＤ３９は、バイナリ光学素子による回折効果が働く波長を多く含む光を発光する。ＬＥＤ３９からの光が、光学系３８を介してバイナリ光学素子３３５へ入射する。バイナリ光学素子３３５は、ＬＥＤ３９からの光のうち上記特定の波長の光を位置検出用光束として左側サブミラー３１９Ｌへ向けて反射させる。上記位置検出用光束は、左側サブミラー３１９Ｌによりカメラボディ１の側方へ反射され、左側焦点検出装置３２０Ｌの第２の受光素子群３３４に入射される。光学系３８の作用によりＬＥＤ３９から発した光は第２の受光素子群３３４上では適度に絞られた光束となっている。第１サブミラー３１８が工場出荷時に定められた位置にあるときには、位置検出用光束は、第２の受光素子群３３４の所定の位置に入射する。しかしながら、第１サブミラー３１８の静止位置が経年変化によりずれると、位置検出用光束の入射位置は、上記所定の位置よりも第１サブミラー３１８の位置ずれ量に応じた大きさだけ移動する。
【００４２】
そこで、ボディ制御装置２１は、第２の受光素子群３３４の出力に基づいて位置検出用光束の入射位置を検出する。そしてボディ制御装置２１は、工場出荷時の位置検出用光束の入射位置と、カメラの使用中における位置検出用光束の入射位置とを比較し、これらの差分に応じて、第１焦点検出装置１６および第２焦点検出装置３２０の少なくともいずれかによる焦点検出結果を補正する。こうすることにより、第１サブミラー３１８の位置ずれに起因する焦点検出誤差のない焦点検出結果を取得することができる。
【００４３】
また、ミラーボックス１０の側面に設けた第２焦点検出装置３２０で位置検出用光束を受光することにより、位置検出用光束を第１焦点検出装置１６で受光する場合に比べ、制約の多いカメラボディ底にある第１焦点検出装置１６を、位置検出用光束を受光するために大きくする必要がないため、カメラを小型化することができる。
【００４４】
なお、第１サブミラー１８に指標を設け、当該指標からの光を第２サブミラー１９によりカメラボディ１の側方へ反射して、第２焦点検出装置２０により当該指標からの光を位置検出用光束として受光するようにしてもよい。このようにしても、第２焦点検出装置２０による受光信号に基づいて焦点検出結果を補正して、第１サブミラー１８の位置ずれによる影響を除去することができる。
【００４５】
以上の説明はあくまで一例であり、上記の実施形態の構成に何ら限定されるものではない。また、上記実施形態に各変形例の構成を適宜組み合わせてもかまわない。
【符号の説明】
【００４６】
１…カメラボディ
１０…ミラーボックス
１３…撮像素子
１６…第１焦点検出装置
１７…メインミラー
１８…第１サブミラー
１９…第２サブミラー
１９Ｌ…左側サブミラー
１９Ｒ…右側サブミラー
２０…第２焦点検出装置
２０Ｌ…左側焦点検出装置
２０Ｒ…右側焦点検出装置
２１…ボディ制御装置
２２…ミラー駆動部
２３…撮影レンズ
３１…マイクロレンズアレイ
３２…受光素子アレイ
【図１】
2013145287.tif 000003
【図２】
2013145287.tif 000004
【図３】
2013145287.tif 000005
【図４】
2013145287.tif 000006
【図５】
2013145287.tif 000007
【図６】
2013145287.tif 000008
【図７】
2013145287.tif 000009